(57)【特許請求の範囲】
【請求項１】
キッチンのフロアキャビネットの収納空間に配置可能であり、かつ、複数の鍋蓋が互い
に略平行となるように、前後方向に立てて収納可能な第１収納部及び第２収納部を備えた
鍋蓋収納具であって、
前記第１収納部及び前記第２収納部は、上面視において、左右方向に並んで設けられて
おり、鍋蓋上面から突出する掴み部を支持可能な凹状の支持部をそれぞれ有し、
前記第１収納部の支持部及び前記第２収納部の支持部が、上面視において、前後方向に
異なる位置に形成されることで、前記第１収納部及び前記第２収納部に収納されたそれぞ
れの鍋蓋の上面及び下面の向きが互いに反対向きとなるように鍋蓋の掴み部を支持した際
に、鍋蓋の掴み部を掴むための空間が一方の鍋蓋の上面と他方の鍋蓋の掴み部との間に形
成されることを特徴とする鍋蓋収納具。
【請求項２】
上面視において所定の方向に延設された収納具本体を備え、
前記第１収納部及び前記第２収納部は、前記延設方向における前記収納具本体の一端側
から他端側に向かって順に設けられており、
前記第１収納部と前記第２収納部が前記延設方向と垂直な方向において離間するよう、
上面視において前記収納具本体における前記第１収納部および前記第２収納部の間をクラ
ンク状に屈曲させたことで、前記空間を形成したことを特徴とする請求項１に記載の鍋蓋
収納具。
【請求項３】
前記第１収納部の支持部は前記第１収納部の上面に形成され、前記第２収納部の支持部
は前記第２収納部の上面に形成されたことを特徴とする請求項１に記載の鍋蓋収納具。
【請求項４】
前記第１収納部及び前記第２収納部は、上面視において前後方向に重なっている部分が
ないことを特徴とする請求項１乃至３の何れか１つに記載の鍋蓋収納具。
【請求項５】
前記第１収納部の支持部は、前記第２収納部の支持部より高い位置に形成されたことを
特徴とする請求項１乃至４の何れか１つに記載の鍋蓋収納具。
【請求項６】
前記第１収納部は、フロアキャビネットと接続可能に形成された接続部をさらに有することを特徴とする請求項１乃至５の何れか１つに記載の鍋蓋収納具。
【請求項７】
請求項１乃至６の何れか１つに記載の鍋蓋収納具を備えたフロアキャビネット。
【請求項８】
前記フロアキャビネットの収納空間は、前記フロアキャビネットの引き出し内の空間で
あり、
前記鍋蓋収納具は、前記鍋蓋収納具の延設方向が、前記フロアキャビネットの前方からみて前記フロアキャビネットの引き出し内の空間の左右方向となるように配置されたことを特徴とする請求項７に記載のフロアキャビネット。
【請求項９】
前記鍋蓋収納具は、前記フロアキャビネットの前方からみて前記フロアキャビネットの
引き出し内の空間の前後方向に移動可能であることを特徴とする請求項８に記載のフロア
キャビネット。
【発明の詳細な説明】
【技術分野】
【０００１】
本発明の態様は、鍋蓋を収納する鍋蓋収納具、及び、それを備えたフロアキャビネットに関する。
【背景技術】
【０００２】
従来より、鍋蓋の掴み部を支持部に支持させることにより複数の鍋蓋を立てた状態で収納可能な鍋蓋収納具が知られている（例えば、特許文献１）。
【０００３】
特許文献１には、上面視において所定の方向に延設された鍋蓋収納具であって、この鍋蓋収納具の上方には延設方向に沿って所定の間隔をあけて複数の凹状の支持部が設けられており、鍋蓋収納具に設けられた複数の支持部に鍋蓋の掴み部を支持させることで、上面視において複数の鍋蓋を鍋蓋収納具の延設方向と略平行となるように立てて収納することができる鍋蓋収納具が記載されている。
【先行技術文献】
【特許文献】
【０００４】
【特許文献１】実開昭６０−５３２３４号公報
【発明の概要】
【発明が解決しようとする課題】
【０００５】
特許文献１に記載された鍋蓋収納具をキッチンのフロアキャビネットの収納空間内に配置する場合において、収納空間の大きさはフロアキャビネットの大きさによって異なり、さらに、フロアキャビネットの収納空間の前後方向および左右方向の長さには限りがあるため、鍋蓋収納具の延設方向における長さは短い方が好ましい。ここで、この延設方向の長さを短くしつつも、複数の鍋蓋を収納させるためには、隣り合う支持部の間隔を短くしつつ、隣り合う鍋蓋の向きが反対向きになるように、即ち、隣り合う鍋蓋のうち、一方の鍋蓋の上面および下面のそれぞれ向きが、他方の鍋蓋の上面および下面のそれぞれの向きと逆となるように、収納することが考えられる。しかし、隣り合う支持部の間隔を短くした上でこのように鍋蓋を収納した場合、一方の鍋蓋の掴み部と他方の鍋蓋の上面が近接してしまい、鍋蓋の掴み部を掴むために使用者が手を挿入するスペースが非常に小さくなってしまう。このため、フロアキャビネット内の収納空間から鍋蓋を出し入れする際の作業性が低下してしまう、という問題がある。
【０００６】
本発明は、かかる課題の認識に基づいてなされたものであり、所定の方向に沿って、この所定方向と略平行になるように複数の鍋蓋を立てて収納可能な鍋蓋収納具において、所定の方向における長さを短くしつつも、鍋蓋の出し入れ作業性を向上させることができる鍋蓋収納具を提供することを目的とする。
【課題を解決するための手段】
【０００７】
第１の発明は、キッチンのフロアキャビネットの収納空間に配置可能であり、かつ、複数の鍋蓋が互いに略平行となるように、前後方向に立てて収納可能な第１収納部及び第２収納部を備えた鍋蓋収納具であって、第１収納部及び第２収納部は、上面視において、左右方向に並んで設けられており、鍋蓋上面から突出する掴み部を支持可能な凹状の支持部をそれぞれ有し、第１収納部の支持部及び第２収納部の支持部が、上面視において、前後方向に異なる位置に形成されることで、第１収納部及び前記第２収納部に収納されたそれぞれの鍋蓋の上面及び下面の向きが互いに反対向きとなるように鍋蓋の掴み部を支持した際に、鍋蓋の掴み部を掴むための空間が一方の鍋蓋の上面と他方の鍋蓋の掴み部との間に形成されることを特徴とする鍋蓋収納具である。
この鍋蓋収納具によれば、第１収納部の支持部及び第２収納部の支持部が、上面視において、前後方向に異なる位置に形成されることで、第１収納部及び第２収納部に収納されたそれぞれの鍋蓋の上面及び下面の向きが互いに反対向きとなるように鍋蓋の掴み部を支持した際に、鍋蓋の掴み部を掴むための空間が一方の鍋蓋の上面と他方の鍋蓋の掴み部との間に形成された。このことより、それぞれの支持部に、一方の鍋蓋の上面および下面のそれぞれ向きが他方の鍋蓋の上面および下面のそれぞれの向きと逆となるように鍋蓋を支持させた際に、一方の鍋蓋の掴み部と他方の鍋蓋の上面との間の空間を確保することができるため、フロアキャビネットの収納空間から鍋蓋を取り出しやすく、鍋蓋を鍋蓋の大きさによらずに支持することができ、フロアキャビネットの収納空間を有効に利用することが可能である。また、鍋蓋を出し入れする際に、使用者が鍋蓋の掴み部以外の部分を触ってしまうことで鍋蓋に使用者の手に繁殖した菌が付着してしまうことがないため、衛生的に、且つ、容易に掴み部を掴んで鍋蓋を出し入れすることができる。以上のことより、所定の方向における長さを短くしつつも、鍋蓋の出し入れ作業性を向上させることができる。
【０００８】
第２の発明は、第１の発明において、上面視において所定の方向に延設された収納具本体を備え、前記第１収納部及び前記第２収納部は、前記延設方向における前記収納具本体の一端側から他端側に向かって順に設けられており、前記第１収納部と前記第２収納部が前記延設方向と垂直な方向において離間するよう、上面視において前記収納具本体における前記第１収納部および前記第２収納部の間をクランク状に屈曲させたことで、前記空間を形成したことを特徴とする鍋蓋収納具である。
この鍋蓋収納具によれば、第１収納部と第２収納部が延設方向と垂直な方向において離間するよう、上面視において前記収納具本体における前記第１収納部および第２収納部の間をクランク状に屈曲させた。このため、１つの部材で形成された鍋蓋収納具をクランク状に屈曲させるという簡単な構成で、それぞれの支持部に、一方の鍋蓋の上面および下面のそれぞれ向きが他方の鍋蓋の上面および下面のそれぞれの向きと逆となるように鍋蓋を支持させた際にも、一方の鍋蓋の掴み部と他方の鍋蓋の上面との間の空間を確保することができる。また、１つの部材で形成された鍋蓋収納具をクランク状に屈曲させるという簡単な構成であるため、製造しやすく、製造コストも安い。
【０００９】
第３の発明は、第１又は２の発明において、前記第１収納部の支持部は前記第１収納部の上面に形成され、前記第２収納部の支持部は前記第２収納部の上面に形成されたことを特徴とする鍋蓋収納具である。
この鍋蓋収納具によれば、第１収納部の支持部は第１収納部の上面に形成され、第２収納部の支持部は第２収納部の上面に形成されているため、それぞれの支持部に鍋蓋の掴み部を支持させる際に、使用者は上方から下方に手を動かすだけで鍋蓋を鍋蓋収納具に収納させることができる。よって、使用者の手が収納具本体のクランク状に屈曲している部分に当たることがなく、使用者はスムーズに鍋蓋を鍋蓋収納具に収納できる。
【００１０】
第４の発明は、第１乃至３の何れか１つの発明において、前記第１収納部及び前記第２収納部は、上面視において前後方向に重なっている部分がないことを特徴とする鍋蓋収納具である。
この鍋蓋収納具によれば、第１収納部及び第２収納部は、上面視において前後方向に重なっている部分がないことで、収納部の支持部に支持された鍋蓋の掴み部がクランク状に屈曲している部分に近づいて設置されることを抑制できるため、鍋蓋の掴み部を掴んで鍋蓋の出し入れがしやすい。
【００１１】
第５の発明は、第１乃至４の何れか１つの発明において、前記第１収納部の支持部は、前記第２収納部の支持部より高い位置に形成されたことを特徴とする鍋蓋収納具である。
この鍋蓋収納具によれば、第１収納部の支持部は、第２収納部の支持部より高い位置に形成されたため、径の大きさがそれぞれ異なる鍋蓋を収納する際に、第１収納部の支持部に径の大きさが小さい方の鍋蓋を支持させることで、径の大きさが小さい方の鍋蓋をより取り出しやすくすることができる。また、第１収納部の支持部より低い位置に形成された第２収納部の支持部に、径の大きさが大きい方の鍋蓋を支持させることで、径の大きさが大きい方の鍋蓋とフロアキャビネットの上部とが当接してしまうことを抑制できる。
【００１２】
第６の発明は、第１乃至５の何れか１つの発明において、前記第１収納部は、フロアキ
ャビネットと接続自在に形成された接続部をさらに有することを特徴とする鍋蓋収納具で
ある。
この鍋蓋収納具によれば、収納具本体は、フロアキャビネットと接続自在に形成された
接続部を有しているため、フロアキャビネットの引き出しの開閉によって、鍋蓋収納具が
転倒してしまうことを抑制することができる。
【００１３】
第７の発明は、第１乃至６の何れか１つの鍋蓋収納具を備えたフロアキャビネットである。  
このフロアキャビネットによれば、所定の方向に沿って、この所定方向と略平行になるように複数の鍋蓋を立てて収納可能な鍋蓋収納具において、所定の方向における長さを短くしつつも、鍋蓋の出し入れ作業性を向上させることができる鍋蓋収納具が配置可能なフロアキャビネットを提供できる。
【００１４】
第８の発明は、第７の発明において、前記フロアキャビネットの収納空間は、前記フロ
アキャビネットの引き出し内の空間であり、前記鍋蓋収納具は、前記鍋蓋収納具の延設方向が、前記フロアキャビネットの前方からみて前記フロアキャビネットの引き出し内の空間の左右方向となるように配置されたことを特徴とするフロアキャビネットである。  
このフロアキャビネットによれば、所定の方向がフロアキャビネットの前方からみてフ
ロアキャビネットの収納空間の左右方向となるように鍋蓋収納具が配置されたため、鍋蓋
をフロアキャビネットから取り出す際には、フロアキャビネットの引き出しを大きく引き
出さずとも、鍋蓋収納具に収納された鍋蓋の径の大きさに関わらず鍋蓋を取り出すことが
でき、フロアキャビネットの引き出しからの鍋蓋の出し入れ作業性を向上させることがで
きる。
【００１５】
第９の発明は、第８の発明において、前記鍋蓋収納具は、前記フロアキャビネットの前方からみて前記フロアキャビネットの引き出し内の空間の前後方向に移動可能であることを特徴とするフロアキャビネットである。
このフロアキャビネットによれば、鍋蓋収納具は、フロアキャビネットの前方からみてフロアキャビネットの引き出し内の空間の前後方向に移動可能であるため、鍋蓋収納具は、収納されたフロアキャビネット前方側の鍋蓋の厚さに合わせて、フロアキャビネットの前板の近くにこの鍋蓋が配置されるようにフロアキャビネットに設置できるため、鍋蓋をフロアキャビネットから取り出す際には、フロアキャビネットの引き出しを引き出す量をさらに削減でき、フロアキャビネットの引き出しからの鍋蓋の出し入れ作業性をより向上させることができる。更に、鍋蓋の厚さに合わせて鍋蓋収納具を移動させることができるため、フロアキャビネットの収納空間を有効に利用することが可能である。
【発明の効果】
【００１６】
本発明の態様によれば、所定の方向に沿って、この所定方向と略平行になるように複数の鍋蓋を立てて収納可能な鍋蓋収納具において、所定の方向における長さを短くしつつも、鍋蓋の出し入れ作業性を向上させることができる鍋蓋収納具を提供することを目的とする。
【図面の簡単な説明】
【００１７】
【図１】本発明の一実施形態に係る鍋蓋を支持した鍋蓋収納具が設置されたフロアキャビネットを示す模式的斜視図である。
【図２】図１の鍋蓋を支持した鍋蓋収納具を示す模式的斜視図である。
【図３】図２の鍋蓋収納具を示す模式的斜視図である。
【図４】図２の鍋蓋を支持した鍋蓋収納具を示す模式的平面図である。
【図５】図１の鍋蓋を支持した鍋蓋収納具を示す模式的斜視図である。
【図６】図３の鍋蓋収納具を示す模式的平面図である。
【図７】図４の鍋蓋収納具を示す模式的側面図である。
【発明を実施するための形態】
【００１８】
以下、本発明の実施の形態について図面を参照しつつ説明する。なお、各図面中、同様の構成要素には同一の符号を付して詳細な説明は適宜省略する。  
【００１９】
図１は、本発明の一実施形態に係る鍋蓋を支持した鍋蓋収納具が設置されたフロアキャビネットを示す模式的斜視図である。
図２は、図１の鍋蓋を支持した鍋蓋収納具を示す模式的斜視図である。
図３は、図２の鍋蓋収納具を示す模式的斜視図である。
図１〜３を用いて、本発明の一実施形態における鍋蓋収納具１について説明する。
【００２０】
図１に示すように、フロアキャビネット１００に設けられた引き出し１０１には鍋蓋収納具１が設置されている。このフロアキャビネット１００は、キッチンに設けられている。鍋蓋収納具１は、例えば樹脂製である。この鍋蓋収納具１には、鍋蓋２、４が立てた状態で収納されている。このように、１つの鍋蓋収納具１に２枚の鍋蓋２及び４を同時に収納できるようにしているため、鍋蓋の枚数毎に鍋蓋収納具を用意する必要がなく、複数の鍋蓋収納具を設けるためのコストが抑えられる。
【００２１】
図２及び３に示すように、鍋蓋収納具１は、フロアキャビネット１００の前方からみてフロアキャビネット１００の引き出し１０１内の空間の左右方向に延設された収納具本体５を備えている。収納具本体５は、第１収納部６と、第２収納部８と、段部１０と、を有している。第１収納部６および第２収納部８は、鍋蓋収納具１の延設方向における収納具本体５の一端側から他端側に向かって順に設けられている。また、第１収納部６、第２収納部８、及び段部１０は、それぞれ板形状である。
【００２２】
収納具本体５は、段部１０によって、第１収納部６及び第２収納部８がそれぞれ異なる位置に形成されるように、段差状に屈曲している。言い換えると、鍋蓋収納具１は、第１収納部６と第２収納部８が鍋蓋収納具１の延設方向と垂直な方向において離間するよう、上面視において収納具本体５における第１収納部６および第２収納部８の間がクランク状に屈曲されている。鍋蓋収納具１は、このように、クランク状に屈曲していることで、フロアキャビネット１００の引き出し１０１の床部材１０２上を直立することができる。また、第１収納部６、第２収納部８、及び、段部１０は、鍋蓋収納具下端部１１を有している。この鍋蓋収納具下端部１１は、鍋蓋収納具１において、鍋蓋収納具１がフロアキャビネット１００の引き出し１０１の床部材１０２上を直立する際に、床部材１０２と当接する部分である。また、上述した通り、鍋蓋収納具１は、鍋蓋収納具１の延設方向が、フロアキャビネット１００の前方からみてフロアキャビネット１００の引き出し１０１内の空間の左右方向となるように、配置されている。このように配置されることで、フロアキャビネット１００の引き出し１０１を大きく引き出さずとも、鍋蓋２及び４の径の大きさに関わらず、鍋蓋２及び４を引き出し１０１から出し入れすることができる。
【００２３】
図３に示すように、第１収納部６は、第１支持部（支持部）１２を有している。また、第２収納部８は、第２支持部（支持部）１４を有している。第１支持部１２は、第１収納部６の上面に凹状に屈曲して形成されており、鍋蓋２の上面から突出する掴み部２Ａを下方から支持することで、鍋蓋２を保持する。同様に、第２支持部１４は、第２収納部８の上面に凹状に屈曲して形成されており、鍋蓋４の上面から突出する掴み部４Ａを下方から支持することで、鍋蓋４を保持する。
【００２４】
鍋蓋収納具１の第１収納部６は、フロアキャビネット１００の引き出し１０１の側面に設けられた側面棒部材１０３と接続自在に形成された接続部１６を有している。この接続部１６は、例えばＣ型形状であり、側面棒部材１０３と嵌合することで、フロアキャビネット１００の引き出し１０１と接続される。このことより、フロアキャビネット１００の引き出し１０１の開閉によって、鍋蓋収納具１が転倒したり、使用者の意図しない位置へ動くことを抑制することができる。
また、鍋蓋収納具１は、接続部１６により、フロアキャビネット１００の前方からみてフロアキャビネット１００の引き出し１０１内の空間の前後方向に移動可能である。このことより、鍋蓋収納具１は、収納されたフロアキャビネット１００前方側の鍋蓋２の厚さに合わせて、フロアキャビネット１００の前板の近くに鍋蓋２が配置されるようにフロアキャビネット１００に設置できるため、鍋蓋２、４をフロアキャビネット１００から取り出す際には、フロアキャビネット１００の引き出し１０１を引き出す量をさらに削減できる。よって、フロアキャビネット１００の引き出し１０１からの鍋蓋２、４の出し入れ作業性をより向上させることができる。更に、鍋蓋２、４の厚さに合わせて鍋蓋収納具１を移動させることができるため、フロアキャビネット１００の収納空間を有効に利用することが可能である。
【００２５】
鍋蓋収納具１は、一枚の屈曲した板部材によって形成されている。鍋蓋支持具１に鍋蓋２及び４が支持されていない際には、この鍋蓋収納具１を、フロアキャビネット１００の引き出し１０１内の収納スペースを区切るための仕切り具として用いることができる。即ち、鍋蓋収納具１は、鍋蓋２及び４を支持していない際にも、引き出し１０１内の収納スペースを無駄に消費することなく、収納スペースを区切るための仕切り具として有効に活用することができる。
【００２６】
図４は、図２の鍋蓋を支持した鍋蓋収納具を示す模式的平面図である。
図５は、図１の鍋蓋を支持した鍋蓋収納具を示す模式的斜視図である。
図４及び５を用いて、本発明の一実施形態における鍋蓋収納具１から鍋蓋２及び４を出し入れする使用動作について説明する。
【００２７】
図４及び５に示すように、第１収納部６の第１支持部１２には、鍋蓋２の掴み部２Ａが支持されている。また、第２収納部８の第２支持部１４には、鍋蓋４の掴み部４Ａが支持されている。鍋蓋２を鍋蓋収納具１から取り出す際には、使用者は、掴み部２Ａを掴み、上方へ動かすことで、第１支持部１２による掴み部２Ａの支持状態を解除させる。同様に、鍋蓋４を鍋蓋収納具１から取り出す際には、使用者は、掴み部４Ａを掴み、上方へ動かすことで、第２支持部１４による掴み部４Ａの支持状態を解除させる。このように、鍋蓋収納具１は、段部１０によって、第１収納部６及び第２収納部８がそれぞれ異なる位置に形成されるように、クランク状に屈曲しているため、一方の鍋蓋２、４の掴み部２Ａ、４Ａと他方の鍋蓋２、４の上面との間に、空間Ｓが形成される。このことより、一方の鍋蓋２、４の掴み部２Ａ、４Ａを掴んで鍋蓋収納具１から取り出す際に、他方の鍋蓋２、４に、使用者の手が当たることを抑制できるため、鍋蓋２、４の掴み部２Ａ、４Ａを掴んでの鍋蓋２、４の出し入れがしやすい。また、このように、鍋蓋２、４の掴み部２Ａ、４Ａを掴んで鍋蓋２、４を取り出すことができるため、使用者が鍋蓋２、４の掴み部２Ａ、４Ａ以外の部分を触ってしまうことで鍋蓋２、４に使用者の手に繁殖した菌が付着してしまうことを抑制できる。
【００２８】
鍋蓋２を鍋蓋収納具１へ収納する際には、使用者は、掴み部２Ａを、上方から、第１支持部１２へ支持させる。同様に、鍋蓋４を鍋蓋収納具１から収納する際には、使用者は、掴み部４Ａを、上方から、第２支持部１４へ支持させる。このように、鍋蓋収納具１は、段部１０によって、第１収納部６及び第２収納部８がそれぞれ異なる位置に形成されるように、クランク状に屈曲しているため、一方の鍋蓋２、４の掴み部２Ａ、４Ａと他方の鍋蓋２、４の上面との間に、空間Ｓが形成される。このことより、一方の鍋蓋２、４の掴み部２Ａ、４Ａを掴んで鍋蓋収納具１から収納する際に、他方の鍋蓋２、４に、使用者の手が当たることを抑制できる。また、この際、鍋蓋２、４の掴み部２Ａ、４Ａを掴んで鍋蓋２、４を収納するため、使用者が鍋蓋２、４の掴み部２Ａ、４Ａ以外の部分を触ってしまうことで鍋蓋２、４に使用者の手に繁殖した菌が付着してしまうことがない。
また、第１支持部１２は、第１収納部６の上面に凹状に屈曲して形成されており、第２支持部１４は、第２収納部８の上面に凹状に屈曲して形成されているため、それぞれの支持部に鍋蓋２、４の掴み部２Ａ、４Ａを支持させる際に、使用者は上方から下方に手を動かすだけで鍋蓋２、４を鍋蓋収納具１に収納させることができる。よって、使用者の手が段部１０に当たることがなく、使用者はスムーズに鍋蓋２、４を鍋蓋収納具１に収納できる。
【００２９】
図６は、図３の鍋蓋収納具を示す模式的平面図である。
図７は、図４の鍋蓋収納具を示す模式的側面図である。
図６及び７を用いて、本発明の一実施形態における鍋蓋収納具１のその他の構成について説明する。
【００３０】
図５に示すように、第１収納部６は第２収納部８と略平行である。この際、第１支持部６及び第２支持部８にそれぞれ支持された鍋蓋２及び４も、互いに略平行となる。このことより、鍋蓋２及び４を収納した鍋蓋収納具１をフロアキャビネット１００の引き出し１０１に設置した際にも、引き出し１０１内の収納スペースを有効に確保できる。
なお、本発明の一実施形態における「略平行」とは、対象となる線又は平面が互いに交わらないこと、もしくは、対象となる線又は平面が互いに２０度以内で交わること、と定義する。
【００３１】
第１収納部６及び第２収納部８は、上面視において前後方向に重なっている部分がない。このことより、それぞれの収納部の支持部に支持された鍋蓋２、４の掴み部がクランク状に屈曲している部分、即ち段部１０に近づいて設置されることを抑制できるため、鍋蓋２，４の掴み部を掴んで鍋蓋２，４の出し入れがしやすい。
【００３２】
鍋蓋収納具１における段差の大きさ、即ち距離Ａの長さは、例えば３０〜５０ミリメートル（ｍｍ）であるのが好ましい。
即ち、日本人成人男性の人差し指の平均的な厚さは１３〜１５ｍｍであるため、距離Ａの長さが３０ｍｍ以上であれば、鍋蓋２及び４の掴み部２Ａ及び４Ａの高さ方向の厚さが一般的に標準的なサイズである１５ｍｍであっても、使用者は容易に鍋蓋２及び４を出し入れすることができる。また、距離Ａの長さが長くなるほど、鍋蓋収納具１における段差の大きさが大きくなるため、フロアキャビネット１００の引き出し１０１内の収納スペースを有効に使うことが困難になる。一方で、日本人成人男性の人差し指の平均的な厚さは１３〜１５ｍｍであるため、距離Ａの長さが５０ｍｍあれば、鍋蓋２及び４の掴み部２Ａ及び４Ａの高さ方向の厚さが一般的に大きめなサイズである３５ｍｍであっても、使用者は容易に鍋蓋２及び４を出し入れすることができる。
よって、鍋蓋収納具１における段差の大きさ、即ち距離Ａの長さが、例えば３０〜５０ミリメートル（ｍｍ）であれば、使用者はさらに容易に鍋蓋２及び４を出し入れすることができ、且つ、フロアキャビネット１００の引き出し１０１内の収納スペースを有効に使うことができる。
【００３３】
図７に示すように、鍋蓋収納具下端部１１から第１収納部６までの距離、即ち第１収納部６の高さＢは、鍋蓋収納具下端部１１から第２収納部８までの距離、即ち第２収納部８の高さＣと、異なる。本発明の一実施形態における鍋蓋収納具１においては、第１収納部６の高さＢは、第２収納部８の高さＣより、高い。この鍋蓋収納具１において、鍋蓋収納具１に収納させる鍋蓋２及び４のサイズが互いに異なるものであったとしても、第１収納部６に鍋蓋２を支持させ、第２収納部８に、鍋蓋２よりサイズの大きい鍋蓋４を支持させれば、鍋蓋２及び４の双方における鍋蓋収納具１の取り出しやすさを確保できる。例えば、第１収納部６に鍋蓋４よりサイズの小さい鍋蓋２を支持させることで、鍋蓋２の掴み部２Ａを、鍋蓋４の掴み部４Ａより上位置に設けることができるため、鍋蓋２が、鍋蓋２よりサイズの大きい鍋蓋４に埋もれることなく、取り出しやすさを確保することができる。
【００３４】
本発明の一実施形態のように、第１収納部６と第２収納部８のうち、接続部１６を有している方の収納部、即ち第１収納部６が有している方の支持部を、他方の支持部より高くすることが好ましい。即ち、第１支持部１２を、第２支持部１４より高くすることが好ましい。言い換えると、鍋蓋収納具下端部１１から第１収納部６までの距離、即ち第１収納部６の高さＢを、鍋蓋収納具下端部１１から第２収納部８までの距離、即ち第２収納部８の高さＣより、高くすることが好ましい。
即ち、接続部１６を有している第１収納部６は、第２収納部８より、フロアキャビネット１００の引き出し１０１の側面棒部材１０３に近い位置に設置されるため、第１支持部１２に支持可能な鍋蓋のサイズは、第２支持部１４に支持可能な鍋蓋のサイズより、小さい。そのため、使用者は、第１支持部１２に、第２支持部１４に支持させる鍋蓋より小さなサイズの鍋蓋を支持させる可能性が高い。
よって、第１収納部６の高さＢを第２収納部８の高さＣより高くすることで、鍋蓋収納具１に収納させる鍋蓋２及び４のサイズが互いに異なるものであった際にも、鍋蓋２及び４の双方における鍋蓋収納具１の取り出しやすさを確保できる。
【００３５】
なお、鍋蓋４のサイズの大きさによっては、引き出し１０１の上面に当接してしまう恐れがあるが、その場合は、高さの低い第２収納部８にこの鍋蓋４を支持させることで、これを防ぐことができる。
【００３６】
以上のことより、本発明の一実施形態によれば、第１支持部１２及び第２支持部１４が、上面視において、前後方向に異なる位置に形成されることで、第１収納部６及び第２収納部８に収納されたそれぞれの鍋蓋２、４の上面及び下面の向きが互いに反対向きとなるように鍋蓋２、４の掴み部２Ａ、４Ａを支持した際に、鍋蓋２、４の掴み部２Ａ、４Ａを掴むための空間が一方の鍋蓋２、４の上面と他方の鍋蓋２、４の掴み部２Ａ、４Ａとの間に形成された。このことより、それぞれの支持部１２、１４に、一方の鍋蓋２、４の上面および下面のそれぞれ向きが他方の鍋蓋２、４の上面および下面のそれぞれの向きと逆となるように鍋蓋２、４を支持させた際に、一方の鍋蓋２、４の掴み部２Ａ、４Ａと他方の鍋蓋２、４の上面との間の空間を確保することができるため、フロアキャビネット１００の収納空間から鍋蓋２、４を取り出しやすく、鍋蓋２、４を鍋蓋２、４の径の大きさによらずに支持することができ、フロアキャビネット１００の収納空間を有効に利用することが可能である。また、鍋蓋２、４を出し入れする際に、使用者が鍋蓋２、４の掴み部２Ａ、４Ａ以外の部分を触ってしまうことで鍋蓋２、４に使用者の手に繁殖した菌が付着してしまうことがないため、衛生的に、且つ、容易に掴み部２Ａ、４Ａを掴んで鍋蓋２、４を出し入れすることができる。以上のことより、所定の方向における長さを短くしつつも、鍋蓋２、４の出し入れ作業性を向上させることができる。
【００３７】
以上、本発明の一実施形態について説明した。しかし、本発明はこれらの記述に限定されるものではない。
【００３８】
本発明の一実施形態において、上面視において収納具本体５における第１収納部６および第２収納部８の間をクランク状に屈曲させたものであったが、本発明はそれに限らない。即ち、例えば、接続部１６から延出した２つのフランジ部が、第１収納部６の第１支持部１２及び第２収納部８の第２支持部１４が上面視において前後方向及び左右方向に異なる位置に形成されるものであっても、本発明に含まれる。ただし、そのような場合においても、第１支持部１２及び第２支持部１４に、一方の鍋蓋の上面および下面のそれぞれ向きが他方の鍋蓋の上面および下面のそれぞれの向きと逆となるように鍋蓋を支持させた際に、一方の鍋蓋の掴み部と他方の鍋蓋の上面との間に空間Ｓが形成されていなければならない。
【００３９】
本発明の一実施形態において、鍋蓋収納具１は、フロアキャビネット１００と別体のものであったが、それに限らず、フロアキャビネット１００と一体に形成されるものであっても良い。
【００４０】
本発明の一実施形態において、鍋蓋収納具１は、第１収納部６及び第２収納部８の２つの収納部を備えるものであったが、それに限らず、３つ以上の収納部を備えるものであっても良い。その場合、第１支持部１２及び第２支持部１４の２つの支持部ではなく、３つ以上の支持部を備えるものであっても良い。また、その際は、段部１０を２つ以上設けることが好ましい。
【００４１】
本発明の一実施形態において、第１収納部６、第２収納部８、及び段部１０は、板形状のものであったが、それに限らず、例えばワイヤー部材などによってフレーム状に形成された部材で形成されても良い。
【００４２】
本発明の一実施形態において、第１収納部６、第２収納部８、及び段部１０は、フロアキャビネット１００の床部材１０２に戴置されるものであったが、それに限らず、例えば床部材１０２から浮いているものであっても良い。その場合、例えば、引き出し１０１と接続している鍋蓋収納具１の接続部１６によって、鍋蓋収納具１の荷重を支えるような構成である。
【００４３】
本発明の一実施形態において、鍋蓋収納具１の第１収納部６は、接続部１６を有しているものであったが、それに限らず、第２収納部８が接続部１６を有しているものであっても良い。また、接続部１６は、側面棒部材１０３と嵌合することで、接続するものであったが、例えば、螺子止め固定によって接続するものであったり、接着剤を用いた固定によって接続するものであったりしても良い。さらに、接続部１６は、フロアキャビネット１００の引き出し１０１の側面に設けられた側面棒部材１０３と接続するものであったが、フロアキャビネット１００の引き出し１０１の床部材１０２や、前面板、後面板などに接続するものであっても良い。
【００４４】
前述の実施の形態に関して、当業者が適宜設計変更を加えたものも、本発明の特徴を備えている限り、本発明の範囲に包含される。例えば、鍋蓋収納具１やフロアキャビネット１００などが備える各要素の形状、寸法、材質、配置などや、鍋蓋収納具１やフロアキャビネット１００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４５】
１ 鍋蓋収納具
２、４ 鍋蓋
２Ａ、４Ａ 掴み部
５ 収納具本体
６ 第１収納部
８ 第２収納部
１０ 段部
１１ 鍋蓋収納具下端部
１２ 第１支持部（支持部）
１４ 第２支持部（支持部）
１６ 接続部
１００ フロアキャビネット
１０１ 引き出し
１０２ 床部材
１０３ 側面棒部材
Ｓ 空間
【図１】
0006501197.tif 000002
【図２】
0006501197.tif 000003
【図３】
0006501197.tif 000004
【図４】
0006501197.tif 000005
【図５】
0006501197.tif 000006
【図６】
0006501197.tif 000007
【図７】
0006501197.tif 000008